(57)【要約】【課題】前方向だけでなく側方向や後方向からも視認できる広視野角であると共に光度が高く、尚且つ、側方向や後方向に比べて前方向の光度を高めたＬＥＤランプを実現する。【解決手段】ＬＥＤチップ28を略リング状の枠体22で囲繞すると共に、該枠体22上にＬＥＤチップ28を覆う先端に凸レンズ部33を有するドーム型と成された透光性の中空外囲体32を配置して成り、上記中空外囲体32の内面全域に、ＬＥＤチップ28の発光を所定波長の可視光に変換して放射する蛍光体層34を形成したＬＥＤランプ10。【選択図】図１
2011077214.tif 000002
【特許請求の範囲】
【請求項１】
ＬＥＤチップと、該ＬＥＤチップを覆う透光性の中空外囲体を備えたＬＥＤランプであって、上記中空外囲体の先端に凸レンズ部を形成すると共に、上記中空外囲体の内面全域に、ＬＥＤチップの発光を所定波長の可視光に変換して放射する蛍光体層を形成したことを特徴とするＬＥＤランプ。
【請求項２】
上記凸レンズ部が、中空外囲体の先端の肉厚を最大とすると共に、先端から周縁に向かって漸次薄肉となる球面状と成すことによって形成されていることを特徴とする請求項１に記載のＬＥＤランプ。
【請求項３】
ＬＥＤチップと、該ＬＥＤチップを覆う透光性の中空外囲体を備えたＬＥＤランプであって、上記中空外囲体の先端内面に、透光材を接合して凸レンズ部を形成すると共に、上記透光材が接合された部分以外の中空外囲体の内面全域及び透光材の内面全域に、ＬＥＤチップの発光を所定波長の可視光に変換して放射する蛍光体層を形成したことを特徴とするＬＥＤランプ。
【請求項４】
ＬＥＤチップと、該ＬＥＤチップを覆う透光性の中空外囲体を備えたＬＥＤランプであって、上記中空外囲体の内面全域に、ＬＥＤチップの発光を所定波長の可視光に変換して放射する蛍光体層を形成し、また、中空外囲体の先端位置の上記蛍光体層の肉厚が最大となる共に、中空外囲体の先端位置から周縁位置に向かって蛍光体層の肉厚が漸次薄肉となる球面状と成すことによって、上記中空外囲体の先端に凸レンズ部を形成したことを特徴とするＬＥＤランプ。
【発明の詳細な説明】
【技術分野】
【０００１】
この発明はＬＥＤランプ（発光ダイオードランプ）に係り、特に、前方向だけでなく側方向や後方向からも視認できる広視野角であると共に光度が高く、尚且つ、側方向や後方向に比べて前方向の光度を高めたＬＥＤランプに関する。
【背景技術】
【０００２】
近年、白熱電球や蛍光灯等に替わる照明用光源として、低消費電力で長寿命なＬＥＤ（Light Emitting Diode）ランプが注目されている。
従来の一般的なＬＥＤランプは、ＬＥＤチップを樹脂等より成る砲弾型の透光性外囲体で覆った構造となっているが、この構造では透光性外囲体の先端部に凸レンズが形成されるため、前方向への光の出射量が多く明るく発光するものの、側方向や後方向へは光が殆ど出射せず、視野角が狭かった。
【０００３】
このため、例えば、特許文献１においては、ＬＥＤチップを覆う透光性外囲体の表面に、球面状又は多角形状のビーズ、突起又は凹部を設け、ＬＥＤチップからの光を上記ビーズ、突起又は凹部で多方向に拡散させることにより、前方向だけでなく、側方向や後方向からも光を視認できるＬＥＤランプが提案されている。
【特許文献１】特開２０００−４０５０号公報
【発明の開示】
【発明が解決しようとする課題】
【０００４】
しかしながら、特許文献１で提案されたＬＥＤランプは、発光源であるＬＥＤチップから発光された光を拡散させて多方向へ放射するものであるため、光が拡散することによる光度低下の問題を生じていた。このため、広視野角でありながら、光度の高いＬＥＤランプの実現が望まれていた。
尚、ＬＥＤランプは、主として前方向の対象物に対して光を照射するものとして用いられることが多いため、広視野角な場合でも、側方向や後方向に比べて前方向の光度の高いものが望まれている。
【０００５】
本発明は、上記従来の問題点に鑑みてなされたものであり、その目的は、前方向だけでなく側方向や後方向からも視認できる広視野角であると共に光度が高く、尚且つ、側方向や後方向に比べて前方向の光度を高めたＬＥＤランプを実現することにある。
【課題を解決するための手段】
【０００６】
上記の目的を達成するため、本発明の請求項１に記載のＬＥＤランプは、
ＬＥＤチップと、該ＬＥＤチップを覆う透光性の中空外囲体を備えたＬＥＤランプであって、上記中空外囲体の先端に凸レンズ部を形成すると共に、上記中空外囲体の内面全域に、ＬＥＤチップの発光を所定波長の可視光に変換して放射する蛍光体層を形成したことを特徴とする。
【０００７】
本発明の請求項２に記載のＬＥＤランプは、請求項１に記載のＬＥＤランプにおいて、
上記凸レンズ部が、中空外囲体の先端の肉厚を最大とすると共に、先端から周縁に向かって漸次薄肉となる球面状と成すことによって形成されていることを特徴とする。
【０００８】
本発明の請求項３に記載のＬＥＤランプは、
ＬＥＤチップと、該ＬＥＤチップを覆う透光性の中空外囲体を備えたＬＥＤランプであって、上記中空外囲体の先端内面に、透光材を接合して凸レンズ部を形成すると共に、上記透光材が接合された部分以外の中空外囲体の内面全域及び透光材の内面全域に、ＬＥＤチップの発光を所定波長の可視光に変換して放射する蛍光体層を形成したことを特徴とする。
【０００９】
本発明の請求項４に記載のＬＥＤランプは、
ＬＥＤチップと、該ＬＥＤチップを覆う透光性の中空外囲体を備えたＬＥＤランプであって、上記中空外囲体の内面全域に、ＬＥＤチップの発光を所定波長の可視光に変換して放射する蛍光体層を形成し、また、中空外囲体の先端位置の上記蛍光体層の肉厚が最大となる共に、中空外囲体の先端位置から周縁位置に向かって蛍光体層の肉厚が漸次薄肉となる球面状と成すことによって、上記中空外囲体の先端に凸レンズ部を形成したことを特徴とする。
【発明の効果】
【００１０】
本発明の請求項１又は２に記載のＬＥＤランプにあっては、ＬＥＤチップを覆う透光性の中空外囲体の内面全域に、ＬＥＤチップの発光を所定波長の可視光に変換して放射する蛍光体層を形成しており、蛍光体層で波長変換された可視光は様々な方向へ放射されるので、中空外囲体の表面全域から可視光が様々な方向へ出射されることとなり、前方向だけでなく側方向や後方向からも視認できる広視野角なＬＥＤランプを実現できる。
しかも、可視光の発光源である蛍光体層を中空外囲体の内面に形成したので、可視光が出射する中空外囲体の表面近傍に発光源が存在することになり、光度の高いＬＥＤランプが実現される。
さらに、ＬＥＤチップを覆う中空外囲体の先端に凸レンズ部を形成したことから、中空外囲体の先端内面の蛍光体層から放射される可視光、及び、中空外囲体先端方向へ向かう可視光が、上記凸レンズ部で集光されて前方向へ出射されるので、側方向や後方向に比べて前方向の光度の高いＬＥＤランプが実現される。
【００１１】
本発明の請求項３に記載のＬＥＤランプにあっては、透光材が接合された部分以外の中空外囲体の内面全域及び透光材の内面全域に、ＬＥＤチップの発光を所定波長の可視光に変換して放射する蛍光体層を形成しており、蛍光体層で波長変換された可視光は様々な方向へ放射されるので、中空外囲体の表面全域から可視光が様々な方向へ出射されることとなり、前方向だけでなく側方向や後方向からも視認できる広視野角なＬＥＤランプを実現できる。
しかも、可視光の発光源である蛍光体層を中空外囲体の内面及び凸レンズ部を構成する透光材の内面に形成したので、可視光が出射する中空外囲体の表面近傍に発光源が存在することになり、光度の高いＬＥＤランプが実現される。
さらに、ＬＥＤチップを覆う中空外囲体の先端に凸レンズ部を形成したことから、中空外囲体の先端内面に接合した透光材内面の蛍光体層から放射される可視光、及び、中空外囲体先端方向へ向かう可視光が、上記凸レンズ部で集光されて前方向へ出射されるので、側方向や後方向に比べて前方向の光度の高いＬＥＤランプが実現される。
【００１２】
本発明の請求項４に記載のＬＥＤランプにあっては、ＬＥＤチップを覆う透光性の中空外囲体の内面全域に、ＬＥＤチップの発光を所定波長の可視光に変換して放射する蛍光体層を形成しており、蛍光体層で波長変換された可視光は様々な方向へ放射されるので、中空外囲体の表面全域から可視光が様々な方向へ出射されることとなり、前方向だけでなく側方向や後方向からも視認できる広視野角なＬＥＤランプを実現できる。
しかも、可視光の発光源である蛍光体層を中空外囲体の内面に形成したので、可視光が出射する中空外囲体の表面近傍に発光源が存在することになり、光度の高いＬＥＤランプが実現される。
さらに、ＬＥＤチップを覆う中空外囲体の先端に凸レンズ部を形成したことから、中空外囲体の先端内面の蛍光体層から放射される可視光、及び、中空外囲体先端方向へ向かう可視光が、上記凸レンズ部で集光されて前方向へ出射されるので、側方向や後方向に比べて前方向の光度の高いＬＥＤランプが実現される。しかも、上記凸レンズ部を蛍光体層で構成した結果、凸レンズ部からも可視光を放射できるので、高光度の可視光を前方向へ出射することができる。
【発明を実施するための最良の形態】
【００１３】
以下、図面に基づき、本発明に係るＬＥＤランプの実施形態を説明する。
本発明に係る第１のＬＥＤランプ10は図１及び図２に示すように、ＬＥＤ素子12と、枠部材14と、放熱部材16を備え、これらを一体化して構成されている。図１において、18は高熱伝導性絶縁接着材であり、該高熱伝導性絶縁接着材18を介してＬＥＤ素子12と放熱部材16とが接続されている。該高熱伝導性絶縁接着材18の厚さは２０〜３０μｍと成されている。
【００１４】
ＬＥＤ素子12は、図３及び図４に示すように、樹脂等より成り、孔20が形成された略リング状の枠体22と、第１のリードフレーム24及び第２のリードフレーム26を有している。これらリードフレーム24，26の板厚は０．３mm程度と成されている。
第１のリードフレーム24は、上記枠体22の底面22ａの略全面を覆う略円板状の先端部24ａと、枠体22を貫通して外方へ向かって水平方向に取り出される後端部24ｂを有している。
第１のリードフレーム24の先端部24ａの一部は上記孔20内に露出しており、該孔16内に露出した第１のリードフレーム24の先端部24ａに、ＬＥＤチップ28をダイボンドすることにより、第１のリードフレーム24とＬＥＤチップ28底面の一方の電極（図示せず）とを電気的に接続している。この結果、ＬＥＤチップ28は、略リング状の枠体22で囲繞されることとなる。
また、第２のリードフレーム26は、上記枠体22を貫通して孔20内に露出する先端部26ａと、枠体22の外方へ向かって水平方向に取り出されている後端部26ｂを有しており、第２のリードフレーム26の先端部26ａと、上記ＬＥＤチップ28上面の他方の電極（図示せず）とをボンディングワイヤ30を介して電気的に接続して成る。
【００１５】
上記第１のリードフレーム24の先端部24ａと、第２のリードフレーム26の先端部26ａは、上下方向に所定の間隙を設けて対向配置されることにより、相互に絶縁されている。
而して、第１のＬＥＤランプ10にあっては、第１のリードフレーム24の先端部24ａと、第２のリードフレーム26の先端部26ａを同一平面上に配置せず、上下方向に所定の間隙を設けて対向配置したことにより、第１のリードフレーム24の先端部24で枠体22の底面22ａの略全面を覆っても、第１のリードフレーム24と第２のリードフレーム26間の絶縁性を確保できるのである。
【００１６】
上記ＬＥＤチップ28は、電圧が印加されると、後述する蛍光体を励起する紫外線や青色可視光等の所定波長の光を発光し、例えば、窒化ガリウム系半導体結晶で構成されている。
【００１７】
図１及び図３において、32は、先端に凸レンズ部33を有するドーム型と成された透光性の中空外囲体であり、該中空外囲体32をＬＥＤ素子12の枠体22上に配置することにより、ＬＥＤチップ28を覆っている。
上記中空外囲体32は、例えば、透光性ガラスや、アクリル、ポリカーボネート、エポキシ等の透光性樹脂で構成することができる。尚、無機材料であるガラスで中空外囲体32を構成した場合には、無機材料はＬＥＤチップ28から発光される紫外線等の高エネルギーの短波長光を殆ど吸収せず、また、短波長光を吸収したとしても分子結合力が強いため劣化することが殆どないため、耐久性に優れている。
上記凸レンズ部33は、中空外囲体32の先端の肉厚を最大とすると共に、先端から周縁に向かって漸次薄肉となる球面状と成すことによって形成されている。
【００１８】
また、上記中空外囲体32の内面全域に蛍光体層34が形成されている。この蛍光体層34は、ＬＥＤチップ28から発光される紫外線や青色可視光等の光を、所定波長の可視光に変換して放射するものである。
上記蛍光体層34を構成する蛍光体としては、例えば以下の組成のものを用いることができる。
紫外線を赤色可視光に変換する赤色発光用の蛍光体として、Ｍ２Ｏ２Ｓ：Ｅｕ（Ｍは、Ｌａ、Ｇｄ、Ｙの何れか１種）、0.5ＭｇＦ２・3.5ＭｇＯ・ＧｅＯ２：Ｍｎ、2ＭｇＯ・2ＬｉＯ２・Ｓｂ２Ｏ３：Ｍｎ、Ｙ（Ｐ，Ｖ）Ｏ4：Ｅｕ、ＹＶＯ4：Ｅｕ、（Ｓｒ，Ｍｇ）3（ＰＯ4）：Ｓｎ、Ｙ２Ｏ３：Ｅｕ、ＣａＳｉＯ３：Ｐｂ，Ｍｎ等がある。
また、紫外線を緑色可視光に変換する緑色発光用の蛍光体として、ＢａＭｇ２Ａｌ１６Ｏ２７：Ｅｕ，Ｍｎ、Ｚｎ２ＳｉＯ4：Ｍｎ、（Ｃｅ，Ｔｂ，Ｍｎ）ＭｇＡｌ１１Ｏ１９、ＬａＰＯ4：Ｃｅ，Ｔｂ、（Ｃｅ，Ｔｂ）ＭｇＡｌ１１Ｏ１９、Ｙ２ＳｉＯ５：Ｃｅ，Ｔｂ、ＺｎＳ：Ｃｕ，Ａｌ、ＺｎＳ：Ｃｕ，Ａｕ，Ａｌ、（Ｚｎ，Ｃｄ）Ｓ：Ｃｕ，Ａｌ、ＳｒＡｌ２Ｏ４：Ｅｕ、ＳｒＡｌ２Ｏ４：Ｅｕ，Ｄｙ、Ｓｒ４Ａｌ１４Ｏ２５：Ｅｕ，Ｄｙ、Ｙ３Ａｌ５Ｏ１２：Ｔｂ、Ｙ３（Ａｌ，Ｇａ）５Ｏ１２：Ｔｂ、Ｙ３Ａｌ５Ｏ１２：Ｃｅ、Ｙ３（Ａｌ，Ｇａ）５Ｏ１２：Ｃｅ等がある。
更に、紫外線を青色可視光に変換する青色発光用の蛍光体として、(ＳｒＣａＢａ)５(ＰＯ４)３Ｃｌ：Ｅｕ、ＢａＭｇ２Ａｌ１６Ｏ２７：Ｅｕ、（Ｓｒ，Ｍｇ）２Ｐ２Ｏ7：Ｅｕ、Ｓｒ２Ｐ２Ｏ7：Ｅｕ、Ｓｒ２Ｐ２Ｏ７：Ｓｎ、Ｓｒ５（ＰＯ4）３Ｃｌ：Ｅｕ、ＢａＭｇ２Ａｌ１６Ｏ２７：Ｅｕ、ＣａＷＯ4、ＣａＷＯ4：Ｐｂ、ＺｎＳ：Ａｇ，Ｃｌ、ＺｎＳ：Ａｇ，Ａｌ、(Ｓｒ，Ｃａ，Ｍｇ)１０(ＰＯ４)６Ｃｌ２：Ｅｕ等がある。
また、青色可視光を発光するＬＥＤチップを光源に用いて白色光を得る場合等において、ＬＥＤチップから放射される青色可視光を緑色可視光に変換する緑色発光用の蛍光体16として、Ｙ３（Ａｌ，Ｇａ）５Ｏ１２：Ｃｅ、ＳｒＧａ２Ｓ４：Ｅｕ、Ｃａ３Ｓｃ２Ｓｉ３Ｏ１２：Ｃｅ、α−ＳｉＡｌＯＮ：Ｅｕ、β−ＳｉＡｌＯＮ：Ｅｕ等がある。
さらに、青色可視光を発光するＬＥＤチップを光源に用いた場合等において、ＬＥＤチップから放射される青色可視光を赤色可視光に変換する赤色発光用の蛍光体16として、（Ｓｒ，Ｃａ）Ｓ：Ｅｕ、（Ｃａ，Ｓｒ）２Ｓｉ５Ｎ８：Ｅｕ、ＣａＳｉＮ２：Ｅｕ、ＣａＡｌＳｉＮ３：Ｅｕ等がある。
上記赤色発光用の蛍光体、緑色発光用の蛍光体、青色発光用の蛍光体を適宜選択・混合して用いることで、種々の色の発色が可能である。
尚、蛍光体層34を構成する蛍光体は、有機、無機の蛍光染料や、有機、無機の蛍光顔料を含むものである。
【００１９】
中空外囲体32の内面に蛍光体層34を形成するには、例えば、透光性を有する無機結合剤中に蛍光体を分散させた蛍光体分散液を中空外囲体32内面に塗着させた後、焼成すれば良い。
無機結合剤としては、例えば、アルカリシリケート結合物、エチルシリケート結合物、アルコキシラン結合物、有機官能基を部分的に導入したアルコキシラン結合物及び有機ポリマーを反応させたアルコキシラン結合物等の無機結合材やハイブリッド系無機結合材を好適に用いることができる。
【００２０】
図５〜図８は、放熱部材16を示すものであり、図５は正面図、図６は平面図、図７は側面図、図８は図６のＢ−Ｂ断面図である。
放熱部材16は、熱伝導性が良好なアルミニウム等の導電材料で構成されており、本体部36と、一対の切欠部38（図６）を有している。    
【００２１】
図９〜図１１は、枠部材14を示すものであり、図９は平面図、図１０は側面図、図１１は図９のＣ−Ｃ断面図である。
枠部材14は、樹脂等の絶縁材料で構成されており、導電材料で構成された上記放熱部材16と、ＬＥＤ素子12の第１のリードフレーム24、第２のリードフレーム26との絶縁性を確保するために用いられるものである。
【００２２】
上記枠部材14は、上記ＬＥＤ素子12の枠体22の側周面22ｂ（図３参照）に当接して囲繞する略リング状の本体部40と、該本体部40の下端に形成され、上記放熱部材16の切欠部38形成位置の本体部36の側周面36ａ（図６参照）に当接して覆う一対の垂下部42と、本体部40上端から垂下部42下端に至るまで形成された一対の切欠部44を有している。
また、上記垂下部42には、ＬＥＤ素子12を載置する段部46が形成されており、該段部46にＬＥＤ素子12を載置した際、ＬＥＤ素子12の第１のリードフレーム24先端部24ａと放熱部材16との間に２０〜３０μｍの間隙が形成されるよう設計されている。
さらに、上記切欠部44の幅は、ＬＥＤ素子12の第１のリードフレーム24及び第２のリードフレーム26の幅と略同一と成されている。
【００２３】
上記ＬＥＤ素子12、枠部材14、放熱部材16は、図１２に示す要領で一体化される。すなわち、表面に高熱伝導性絶縁接着材18を２０〜３０μｍの厚さで被着した放熱部材16に枠部材14を嵌合し、以て、放熱部材16の切欠部38形成位置の本体部側周面36ａを、枠部材14の垂下部42で覆う。
次に、ＬＥＤ素子12を、枠部材14の垂下部42の段部46上に載置し、ＬＥＤ素子12の枠体22の側周面22ｂを、枠部材14の本体部40で囲繞することにより、ＬＥＤ素子12と枠部材14との嵌合を行う。
この結果、ＬＥＤ素子12の枠体底面の22ａの略全面を覆う第１のリードフレーム先端部24ａと放熱部材16とが高熱伝導性絶縁接着材18を介して接続され、上記第１のＬＥＤランプ10が完成する。
【００２４】
上記の通り、枠部材14の切欠部44の幅が、ＬＥＤ素子12の第１のリードフレーム24及び第２のリードフレーム26の幅と略同一と成されているので、第１のリードフレーム24及び第２のリードフレーム26を上記切欠部44内に挿通することにより、ＬＥＤ素子12と枠部材14との嵌合時の位置決めを容易に行うことができると共に、ＬＥＤ素子12の第１のリードフレーム24及び第２のリードフレーム26が切欠部44内でガタツキを生じることがなく、ＬＥＤ素子12と枠部材14とを強固に固定できる。
【００２５】
上記高熱伝導性絶縁接着材18としては、例えば、熱伝導性が良好な金属粉末を、シリコン樹脂、エポキシ樹脂、ポリイミド樹脂等の樹脂中に混合して成る高熱伝導性樹脂が該当する。
尚、高熱伝導性絶縁接着材18の厚さが大きいと、熱伝導性を阻害するため、１００μｍ以下の厚さとするのが適当であり、より好ましくは、上記の通り２０〜３０μｍの厚さとするのが良い。
【００２６】
上記第１のＬＥＤランプ10は、第１のリードフレーム24及び第２のリードフレーム26を介してＬＥＤチップ28に電圧が印加されると、ＬＥＤチップ28から上記蛍光体層34を励起する紫外線や青色可視光等の光が発光する。ＬＥＤチップ28から発光された光の照射を蛍光体層34が受けると、蛍光体層34はＬＥＤチップ28の光を所定波長の可視光に変換して様々な方向へ放射し、この可視光が中空外囲体32を透過して外部へ放射されるのである。
【００２７】
而して、本発明の第１のＬＥＤランプ10にあっては、ＬＥＤチップ28を覆う透光性の中空外囲体32の内面全域に、ＬＥＤチップ28の発光を所定波長の可視光に変換して放射する蛍光体層34を形成しており、蛍光体層34で波長変換された可視光は様々な方向へ放射されるので、中空外囲体32の表面全域から可視光が様々な方向へ出射されることとなり、前方向だけでなく側方向や後方向からも視認できる広視野角なＬＥＤランプを実現できる。
しかも、第１のＬＥＤランプ10は、可視光の発光源である蛍光体層34を中空外囲体32の内面に形成したので、可視光が出射する中空外囲体32の表面近傍に発光源が存在することになり、光度の高いＬＥＤランプが実現される。
尚、蛍光体層34から放射された可視光の一部は、中空外囲体32内方へ向かうが、この可視光の殆どは最終的に蛍光体層34を透過して外部へ放射される。
さらに、第１のＬＥＤランプ10にあっては、ＬＥＤチップ28を覆う中空外囲体32の先端に凸レンズ部33を形成したことから、中空外囲体32の先端内面の蛍光体層34から放射される可視光、及び、中空外囲体32先端方向へ向かう可視光が、上記凸レンズ部33で集光されて前方向へ出射されるので、側方向や後方向に比べて前方向の光度の高いＬＥＤランプが実現される。
【００２８】
尚、上記第１のＬＥＤランプ10にあっては、ＬＥＤチップ28が配置された第１のリードフレーム24の先端部24ａが、高熱伝導性絶縁接着材18を介して放熱部材16と接続されているので、ＬＥＤチップ28の発熱は、第１のリードフレーム24及び高熱伝導性絶縁接着材18を介して放熱部材16へと伝導し、第１のＬＥＤランプ10外部へ効率良く放熱することができる。
しかも、上記ＬＥＤ素子12において、ＬＥＤチップ28が配置された第１のリードフレーム24の先端部24ａは、枠体底面22ａの略全面を覆う形状と成されているので、放熱面積を大きく確保することができ、放熱効果が高くなっている。上記第１のリードフレーム24は、熱伝導性が良好な導電材料である銅合金で構成することができる。      
【００２９】
尚、放熱部材16の本体部底面36ｂを、他の放熱部材（図示省略）上に表面実装することにより、本体部底面36ｂを他の放熱部材に接触させれば、ＬＥＤチップ28の発熱を、放熱部材16を介して、更に他の放熱部材へと効率良く放熱することができる。
【００３０】
上記した通り、絶縁材料で構成された枠部材14は、導電材料で構成された放熱部材16と、ＬＥＤ素子12の第１のリードフレーム24、第２のリードフレーム26との絶縁性を確保するために用いられるものである。
すなわち、ＬＥＤ素子12を枠部材14の垂下部42の段部46上に載置した際、ＬＥＤ素子12の第１のリードフレーム先端部24ａと放熱部材16間に２０〜３０μｍの間隙が形成されるので、ＬＥＤ素子12の第１のリードフレーム先端部24ａと放熱部材16との物理的な接触が阻止され絶縁性が確保される。
【００３１】
而して、導電材料で構成された放熱部材16と、ＬＥＤ素子12の第１のリードフレーム24、第２のリードフレーム26との絶縁性を確保するのは、例えば、第１のＬＥＤランプ10を、他の導電性の放熱部材（図示省略）上に多数個配置して使用する場合等、複数個の第１のＬＥＤランプ10を同一の導電部材上に配置して使用する場合があるためである。
【００３２】
図１３は、本発明に係る第２のＬＥＤランプ48を示す概略断面図であり、該第２のＬＥＤランプ48は、先端に凸レンズ部49を有する中空外囲体50が略球状型と成されている点に特徴を有するものであり、その他の構成は上記第１のＬＥＤランプ10と実質的に同一である。
この第２のＬＥＤランプ48の略球状型の中空外囲体50は、その側周面が、ＬＥＤチップ28を囲繞する枠体22の外端から外方へ膨出している。
上記凸レンズ部49は、中空外囲体50の先端の肉厚を最大とすると共に、先端から周縁に向かって漸次薄肉となる球面状と成すことによって形成されている。
【００３３】
而して、第２のＬＥＤランプ48にあっても、第１のＬＥＤランプ10と同じく、ＬＥＤチップ28を覆う透光性の中空外囲体50の内面全域に、ＬＥＤチップ28の発光を所定波長の可視光に変換して放射する蛍光体層34を形成しており、蛍光体層34で波長変換された可視光は様々な方向へ放射されるので、中空外囲体50の表面全域から可視光が様々な方向へ出射されることとなり、前方向だけでなく側方向や後方向からも視認できる広視野角なＬＥＤランプを実現できる。
しかも、第２のＬＥＤランプ48は、可視光の発光源である蛍光体層34を中空外囲体50の内面に形成したので、可視光が出射する中空外囲体50の表面近傍に発光源が存在することになり、光度の高いＬＥＤランプが実現される。
また、第２のＬＥＤランプ48は、略球状型の中空外囲体50の側周面が、ＬＥＤチップ28を囲繞する枠体22の外端から外方へ膨出しているので、蛍光体層34から放射された後方向へ向かう可視光が枠体22に遮られることを抑制でき、後方向からの視認性が向上する。
さらに、第２のＬＥＤランプ48にあっては、ＬＥＤチップ28を覆う中空外囲体50の先端に凸レンズ部49を形成したことから、中空外囲体50の先端内面の蛍光体層34から放射される可視光、及び、中空外囲体50先端方向へ向かう可視光が、上記凸レンズ部49で集光されて前方向へ出射されるので、側方向や後方向に比べて前方向の光度の高いＬＥＤランプが実現される。
【００３４】
図１４は、本発明に係る第３のＬＥＤランプ52を示す概略断面図であり、該第３のＬＥＤランプは、ＬＥＤチップ搭載用の第１のリードフレーム54の先端部54ａに、その底面から上方に向かって孔径が徐々に拡大する略漏斗形状の凹部を設けると共に該凹部内面を反射面と成してリフレクタ56を形成し、該リフレクタ56の底面上にＬＥＤチップ28をダイボンドにより接続固定し、以て、上記第１のリードフレーム54と、ＬＥＤチップ28底面の一方の電極（図示せず）とを電気的に接続している。
また、第２のリードフレーム58の先端部58ａと、上記ＬＥＤチップ28上面の他方の電極（図示せず）とをボンディングワイヤ30を介して電気的に接続して成る。
【００３５】
上記ＬＥＤチップ28、第１のリードフレーム54の先端部54ａ及び端子部54ｂの上端、第２のリードフレーム58の先端部58ａ及び端子部58ｂの上端は、先端に凸レンズ部59を有する砲弾型と成された透光性の中空外囲体60で覆われている。
上記凸レンズ部59は、中空外囲体60の先端の肉厚を最大とすると共に、先端から周縁に向かって漸次薄肉となる球面状と成すことによって形成されている。
また、上記中空外囲体60の内面全域に、ＬＥＤチップ28から発光される紫外線や青色可視光等の光を、所定波長の可視光に変換して放射する蛍光体層34が形成されている。
さらに、中空外囲体60の内部には、水ガラス、ゾルゲルガラス等の無機材料、或いは、エポキシ樹脂、アクリル樹脂等の有機材料で構成された透光性を有する充填材64が封入されている。
尚、第１のリードフレーム54の端子部54ｂの下端、第２のリードフレーム58の端子部58ｂの下端は、上記充填材64を貫通して中空外囲体60外部へ導出されている。
【００３６】
次に、図１５乃至図１８に基づいて、第３のＬＥＤランプ52の製造方法を説明する。
先ず、第１のリードフレーム54の先端部54ａに形成したリフレクタ56の底面上に、ＬＥＤチップ28をＡｇペースト等を介してダイボンドした後、ボンディングワイヤ30を介して第２のリードフレーム58の先端部58ａとＬＥＤチップ28とを接続する（図１５）。
【００３７】
次に、図１６に示すように、固定冶具66の凹部66ａ内に、上記中空外囲体60を、先端側から挿入していき、固定する。この結果、中空外囲体60の開口部が、上方側に配置されることとなる。尚、固定冶具66への固定前に、中空外囲体60の内面全域に予め蛍光体層34を形成しておく。上記の通り、中空外囲体60の内面に蛍光体層34を形成するには、例えば、無機結合剤中に蛍光体を分散させた蛍光体分散液を中空外囲体60内面に塗着させた後、焼成すれば良い。
次に、上記中空外囲体60の開口部から、中空外囲体60内に未硬化状態の充填材64を所定量注入する（図１７）。
次に、図１８に示すように、ＬＥＤチップ28が接続・配置された第１のリードフレーム54の先端部54ａ及び端子部54ｂの上端、第２のリードフレーム58の先端部58ａ及び端子部58ｂの上端を、中空外囲体60内に収容する。
その後、所定温度で加熱する等して、上記充填材64を硬化させることにより、上記第３のＬＥＤランプ52が完成する。
【００３８】
上記第３のＬＥＤランプ52は、第１のリードフレーム54及び第２のリードフレーム58を介してＬＥＤチップ28に電圧が印加されると、ＬＥＤチップ28から上記蛍光体層34を励起する紫外線や青色可視光等の光が発光する。ＬＥＤチップ28から発光された光の照射を蛍光体層34が受けると、蛍光体層34はＬＥＤチップ28の光を所定波長の可視光に変換し、この可視光が中空外囲体60を透過して外部へ放射されるのである。
【００３９】
而して、本発明の第３のＬＥＤランプ52も、第１のＬＥＤランプ10及び第２のＬＥＤランプ48と同じく、ＬＥＤチップ28を覆う透光性の中空外囲体60の内面全域に、ＬＥＤチップ28の発光を所定波長の可視光に変換して放射する蛍光体層34を形成しており、蛍光体層34で波長変換された可視光は様々な方向へ放射されるので、中空外囲体60の表面全域から可視光が様々な方向へ出射されることとなり、前方向だけでなく側方向や後方向からも視認できる広視野角なＬＥＤランプを実現できる。
しかも、第３のＬＥＤランプ52は、可視光の発光源である蛍光体層34を中空外囲体60の内面に形成したので、可視光が出射する中空外囲体60の表面近傍に発光源が存在することになり、光度の高いＬＥＤランプが実現される。
さらに、第３のＬＥＤランプ52にあっては、ＬＥＤチップ28を覆う中空外囲体60の先端に凸レンズ部59を形成したことから、中空外囲体60の先端内面の蛍光体層34から放射される可視光、及び、中空外囲体60先端方向へ向かう可視光が、上記凸レンズ部59で集光されて前方向へ出射されるので、側方向や後方向に比べて前方向の光度の高いＬＥＤランプが実現される。
【００４０】
尚、上記充填材64を水ガラス、ゾルゲルガラス等の無機材料で構成した場合には、無機材料はＬＥＤチップ28から発光される紫外線や青色可視光等の高エネルギーの短波長光を殆ど吸収しないため、ＬＥＤチップ28から発光され、上記蛍光体層34を励起する紫外線や青色可視光等の短波長光が殆ど損失することなく蛍光体層34に照射できる。
【００４１】
図１９は、本発明に係る第４のＬＥＤランプ68を示すものであり、該第４のＬＥＤランプ70は、中空外囲体69先端の凸レンズ部71を、中空外囲体69の先端内面に透光材72を接合することにより構成している。すなわち、上記凸レンズ部71は、中空外囲体69先端位置の透光材72の肉厚を最大とすると共に、中空外囲体69の先端位置から周縁位置に向かって透光材72が漸次薄肉となる球面状と成すことによって形成されている。
尚、凸レンズ部71を構成する上記透光材72は、中空外囲体69の先端を下側に配置した状態で、透光性を有する無機結合剤等の液状の透光材72を中空外囲体69内に所定量充填した後、固化させることにより形成できる。
また、上記透光材72が接合された部分以外の中空外囲体69の内面全域及び透光材72の内面全域に蛍光体層34が形成されている。
上記以外の第４のＬＥＤランプ70の構成は、第１のＬＥＤランプ10と同様である。
【００４２】
而して、本発明の第４のＬＥＤランプ70にあっては、透光材72が接合された部分以外の中空外囲体69の内面全域及び透光材72の内面全域に、ＬＥＤチップ28の発光を所定波長の可視光に変換して放射する蛍光体層34を形成しており、蛍光体層34で波長変換された可視光は様々な方向へ放射されるので、中空外囲体69の表面全域から可視光が様々な方向へ出射されることとなり、前方向だけでなく側方向や後方向からも視認できる広視野角なＬＥＤランプを実現できる。
しかも、第４のＬＥＤランプ70は、可視光の発光源である蛍光体層34を中空外囲体69の内面及び凸レンズ部71を構成する透光材72の内面に形成したので、可視光が出射する中空外囲体69の表面近傍に発光源が存在することになり、光度の高いＬＥＤランプが実現される。
さらに、第４のＬＥＤランプ70にあっては、ＬＥＤチップ28を覆う中空外囲体69の先端に凸レンズ部71を形成したことから、中空外囲体69の先端内面に接合した透光材71内面の蛍光体層34から放射される可視光、及び、中空外囲体69先端方向へ向かう可視光が、上記凸レンズ部71で集光されて前方向へ出射されるので、側方向や後方向に比べて前方向の光度の高いＬＥＤランプが実現される。
【００４３】
図２０は、本発明に係る第５のＬＥＤランプ74を示すものであり、該第５のＬＥＤランプ74は、中空外囲体76先端の凸レンズ部77を、中空外囲体76の先端内面に透光材78を接合することにより構成している。すなわち、上記凸レンズ部77は、中空外囲体76先端位置の透光材78の肉厚を最大とすると共に、中空外囲体76の先端位置から周縁位置に向かって透光材78が漸次薄肉となる球面状と成すことによって形成されている。
また、上記透光材78が接合された部分以外の中空外囲体76の内面全域及び透光材78の内面全域に蛍光体層34が形成されている。
上記以外の第５のＬＥＤランプ74の構成は、第２のＬＥＤランプ48と同様である。
【００４４】
而して、本発明の第５のＬＥＤランプ74にあっては、透光材78が接合された部分以外の中空外囲体76の内面全域及び透光材78の内面全域に、ＬＥＤチップ28の発光を所定波長の可視光に変換して放射する蛍光体層34を形成しており、蛍光体層34で波長変換された可視光は様々な方向へ放射されるので、中空外囲体76の表面全域から可視光が様々な方向へ出射されることとなり、前方向だけでなく側方向や後方向からも視認できる広視野角なＬＥＤランプを実現できる。
しかも、第５のＬＥＤランプ74は、可視光の発光源である蛍光体層34を中空外囲体76の内面及び凸レンズ部77を構成する透光材78の内面に形成したので、可視光が出射する中空外囲体76の表面近傍に発光源が存在することになり、光度の高いＬＥＤランプが実現される。
さらに、第５のＬＥＤランプ74にあっては、ＬＥＤチップ28を覆う中空外囲体76の先端に凸レンズ部77を形成したことから、中空外囲体76の先端内面に接合した透光材78内面の蛍光体層34から放射される可視光、及び、中空外囲体76先端方向へ向かう可視光が、上記凸レンズ部77で集光されて前方向へ出射されるので、側方向や後方向に比べて前方向の光度の高いＬＥＤランプが実現される。
【００４５】
図２１は、本発明に係る第６のＬＥＤランプ79を示すものであり、該第６のＬＥＤランプ79は、中空外囲体80先端の凸レンズ部81を、中空外囲体80の先端内面に透光材82を接合することにより構成している。すなわち、上記凸レンズ部81は、中空外囲体80先端位置の透光材82の肉厚を最大とすると共に、中空外囲体80の先端位置から周縁位置に向かって透光材82が漸次薄肉となる球面状と成すことによって形成されている。
また、上記透光材82が接合された部分以外の中空外囲体80の内面全域及び透光材82の内面全域に蛍光体層34が形成されている。
上記以外の第６のＬＥＤランプ79の構成は、第３のＬＥＤランプ52と同様である。
【００４６】
而して、本発明の第６のＬＥＤランプ79にあっては、透光材82が接合された部分以外の中空外囲体80の内面全域及び透光材82の内面全域に、ＬＥＤチップ28の発光を所定波長の可視光に変換して放射する蛍光体層34を形成しており、蛍光体層34で波長変換された可視光は様々な方向へ放射されるので、中空外囲体80の表面全域から可視光が様々な方向へ出射されることとなり、前方向だけでなく側方向や後方向からも視認できる広視野角なＬＥＤランプを実現できる。
しかも、第６のＬＥＤランプ79は、可視光の発光源である蛍光体層34を中空外囲体80の内面及び凸レンズ部81を構成する透光材82の内面に形成したので、可視光が出射する中空外囲体80の表面近傍に発光源が存在することになり、光度の高いＬＥＤランプが実現される。
さらに、第６のＬＥＤランプ79にあっては、ＬＥＤチップ28を覆う中空外囲体80の先端に凸レンズ部81を形成したことから、中空外囲体80の先端内面に接合した透光材82内面の蛍光体層34から放射される可視光、及び、中空外囲体80先端方向へ向かう可視光が、上記凸レンズ部81で集光されて前方向へ出射されるので、側方向や後方向に比べて前方向の光度の高いＬＥＤランプが実現される。
【００４７】
図２２は、本発明に係る第７のＬＥＤランプ84を示すものであり、該第７のＬＥＤランプ84は、中空外囲体69先端の凸レンズ部85を、透光性の蛍光体層86により構成している。すなわち、中空外囲体69の内面全域に蛍光体層86が形成されているが、中空外囲体69先端位置の蛍光体層86の肉厚が最大となると共に、中空外囲体69の先端位置から周縁位置に向かって蛍光体層86の肉厚が漸次薄肉となる球面状と成すことによって、上記凸レンズ部85が形成されている。また、上記球面状の凸レンズ部85を構成する蛍光体層86の肉厚は、凸レンズ部85を構成しない蛍光体層86の肉厚より大と成されている。
上記凸レンズ部85は、中空外囲体69の先端を下側に配置した状態で、透光性を有する無機結合剤中に蛍光体を分散させた蛍光体分散液を中空外囲体69内に所定量充填すると共に、中空外囲体69内面に蛍光体分散液を塗着させた後、焼成すれば良い。
上記以外の第７のＬＥＤランプ84の構成は、第４のＬＥＤランプ68と同様である。
【００４８】
而して、本発明の第７のＬＥＤランプ84にあっては、ＬＥＤチップ28を覆う透光性の中空外囲体69の内面全域に、ＬＥＤチップ28の発光を所定波長の可視光に変換して放射する蛍光体層86を形成しており、蛍光体層86で波長変換された可視光は様々な方向へ放射されるので、中空外囲体69の表面全域から可視光が様々な方向へ出射されることとなり、前方向だけでなく側方向や後方向からも視認できる広視野角なＬＥＤランプを実現できる。
しかも、第７のＬＥＤランプ84は、可視光の発光源である蛍光体層86を中空外囲体69の内面に形成したので、可視光が出射する中空外囲体69の表面近傍に発光源が存在することになり、光度の高いＬＥＤランプが実現される。
さらに、第７のＬＥＤランプ84にあっては、ＬＥＤチップ28を覆う中空外囲体69の先端に凸レンズ部85を形成したことから、中空外囲体69の先端内面の蛍光体層86から放射される可視光、及び、中空外囲体69先端方向へ向かう可視光が、上記凸レンズ部85で集光されて前方向へ出射されるので、側方向や後方向に比べて前方向の光度の高いＬＥＤランプが実現される。しかも、上記凸レンズ部85を蛍光体層34で構成した結果、凸レンズ部85からも可視光を放射できるので、高光度の可視光を前方向へ出射することができる。
【００４９】
図２３は、本発明に係る第８のＬＥＤランプ88を示すものであり、該第８のＬＥＤランプ88は、中空外囲体76先端の凸レンズ部89を、透光性の蛍光体層90により構成している。すなわち、中空外囲体76の内面全域に蛍光体層90が形成されているが、中空外囲体76先端位置の蛍光体層90の肉厚が最大となると共に、中空外囲体76の先端位置から周縁位置に向かって蛍光体層90の肉厚が漸次薄肉となる球面状と成すことによって、上記凸レンズ部89が形成されている。また、上記球面状の凸レンズ部89を構成する蛍光体層90の肉厚は、凸レンズ部89を構成しない蛍光体層90の肉厚より大と成されている。
上記以外の第８のＬＥＤランプ88の構成は、第５のＬＥＤランプ74と同様である。
【００５０】
而して、本発明の第８のＬＥＤランプ88にあっては、ＬＥＤチップ28を覆う透光性の中空外囲体76の内面全域に、ＬＥＤチップ28の発光を所定波長の可視光に変換して放射する蛍光体層90を形成しており、蛍光体層90で波長変換された可視光は様々な方向へ放射されるので、中空外囲体76の表面全域から可視光が様々な方向へ出射されることとなり、前方向だけでなく側方向や後方向からも視認できる広視野角なＬＥＤランプを実現できる。
しかも、第８のＬＥＤランプ88は、可視光の発光源である蛍光体層90を中空外囲体76の内面に形成したので、可視光が出射する中空外囲体76の表面近傍に発光源が存在することになり、光度の高いＬＥＤランプが実現される。
さらに、第８のＬＥＤランプ88にあっては、ＬＥＤチップ28を覆う中空外囲体76の先端に凸レンズ部89を形成したことから、中空外囲体76の先端内面の蛍光体層90から放射される可視光、及び、中空外囲体76先端方向へ向かう可視光が、上記凸レンズ部89で集光されて前方向へ出射されるので、側方向や後方向に比べて前方向の光度の高いＬＥＤランプが実現される。しかも、上記凸レンズ部89を蛍光体層90で構成した結果、凸レンズ部89からも可視光を放射できるので、高光度の可視光を前方向へ出射することができる。
【００５１】
図２４は、本発明に係る第９のＬＥＤランプ92を示すものであり、該第９のＬＥＤランプ92は、中空外囲体80先端の凸レンズ部94を、透光性の蛍光体層96により構成している。すなわち、中空外囲体80の内面全域に蛍光体層96が形成されているが、中空外囲体80先端位置の蛍光体層96の肉厚が最大となると共に、中空外囲体80の先端位置から周縁位置に向かって蛍光体層96の肉厚が漸次薄肉となる球面状と成すことによって、上記凸レンズ部94が形成されている。また、上記球面状の凸レンズ部94を構成する蛍光体層96の肉厚は、凸レンズ部94を構成しない蛍光体層96の肉厚より大と成されている。
上記以外の第９のＬＥＤランプ92の構成は、第６のＬＥＤランプ79と同様である。
【００５２】
而して、本発明の第９のＬＥＤランプ92にあっては、ＬＥＤチップ28を覆う透光性の中空外囲体80の内面全域に、ＬＥＤチップ28の発光を所定波長の可視光に変換して放射する蛍光体層96を形成しており、蛍光体層96で波長変換された可視光は様々な方向へ放射されるので、中空外囲体80の表面全域から可視光が様々な方向へ出射されることとなり、前方向だけでなく側方向や後方向からも視認できる広視野角なＬＥＤランプを実現できる。
しかも、第９のＬＥＤランプ92は、可視光の発光源である蛍光体層96を中空外囲体80の内面に形成したので、可視光が出射する中空外囲体80の表面近傍に発光源が存在することになり、光度の高いＬＥＤランプが実現される。
さらに、第９のＬＥＤランプ92にあっては、ＬＥＤチップ28を覆う中空外囲体80の先端に凸レンズ部94を形成したことから、中空外囲体80の先端内面の蛍光体層96から放射される可視光、及び、中空外囲体80先端方向へ向かう可視光が、上記凸レンズ部94で集光されて前方向へ出射されるので、側方向や後方向に比べて前方向の光度の高いＬＥＤランプが実現される。しかも、上記凸レンズ部94を蛍光体層96で構成した結果、凸レンズ部94からも可視光を放射できるので、高光度の可視光を前方向へ出射することができる。
【図面の簡単な説明】
【００５３】
【図１】本発明に係る第１のＬＥＤランプを模式的に示す概略断面図である。
【図２】本発明に係る第１のＬＥＤランプの中空外囲体を取り外した状態における平面図である。
【図３】本発明に係る第１のＬＥＤランプのＬＥＤ素子を模式的に示す概略断面図である。
【図４】本発明に係る第１のＬＥＤランプのＬＥＤ素子の中空外囲体を取り外した状態における平面図である。
【図５】本発明に係る第１のＬＥＤランプの放熱部材を模式的に示す正面図である。
【図６】本発明に係る第１のＬＥＤランプの放熱部材を模式的に示す平面図である。
【図７】本発明に係る第１のＬＥＤランプの放熱部材を模式的に示す側面図である。
【図８】図６のＢ−Ｂ概略断面図である。
【図９】本発明に係る第１のＬＥＤランプの枠部材を模式的に示す平面図である。
【図１０】本発明に係る第１のＬＥＤランプの枠部材を模式的に示す側面図である。
【図１１】図９のＣ−Ｃ概略断面図である。
【図１２】本発明に係る第１のＬＥＤランプのＬＥＤ素子、枠部材、放熱部材の一体化の方法を示す説明図である。
【図１３】本発明に係る第２のＬＥＤランプを模式的に示す概略断面図である。
【図１４】本発明に係る第３のＬＥＤランプを模式的に示す概略断面図である。
【図１５】本発明に係る第３のＬＥＤランプの製造過程をに示す説明図である。
【図１６】本発明に係る第３のＬＥＤランプの製造過程をに示す説明図である。
【図１７】本発明に係る第３のＬＥＤランプの製造過程をに示す説明図である。
【図１８】本発明に係る第３のＬＥＤランプの製造過程をに示す説明図である。
【図１９】本発明に係る第４のＬＥＤランプを模式的に示す概略断面図である。
【図２０】本発明に係る第５のＬＥＤランプを模式的に示す概略断面図である。
【図２１】本発明に係る第６のＬＥＤランプを模式的に示す概略断面図である。
【図２２】本発明に係る第７のＬＥＤランプを模式的に示す概略断面図である。
【図２３】本発明に係る第８のＬＥＤランプを模式的に示す概略断面図である。
【図２４】本発明に係る第９のＬＥＤランプを模式的に示す概略断面図である。
【符号の説明】
【００５４】
10  第１のＬＥＤランプ
12  ＬＥＤ素子
14  枠部材
16  放熱部材
18  高熱伝導性絶縁接着材
20  孔
22  枠体
24  第１のリードフレーム
24ａ第１のリードフレームの先端部
24ｂ第１のリードフレームの後端部
26  第２のリードフレーム
26ａ第２のリードフレームの先端部
26ｂ第２のリードフレームの後端部
28  ＬＥＤチップ
30  ボンディングワイヤ
32  中空外囲体
33  凸レンズ部
34  蛍光体層
36  放熱部材の本体部
36ａ本体部の側周面
36ｂ本体部の底面
38  放熱部材の切欠部
40  枠部材の本体部
42  枠部材の垂下部
44  枠部材の切欠部
46  枠部材の段部
48  第２のＬＥＤランプ
49  凸レンズ部
50  中空外囲体
52  第３のＬＥＤランプ
54  第１のリードフレーム
54ａ第１のリードフレームの先端部
54ｂ第１のリードフレームの端子部
56  リフレクタ
58  第２のリードフレーム
58ａ第２のリードフレームの先端部
58ｂ第２のリードフレームの端子部
59  凸レンズ部
60  中空外囲体
64  充填材
66  固定冶具
66ａ固定冶具の凹部
68  第４のＬＥＤランプ
69  中空外囲体
71  凸レンズ部
72  透光材
74  第５のＬＥＤランプ
76  中空外囲体
77  凸レンズ部
78  透光材
79  第６のＬＥＤランプ
80  中空外囲体
81  凸レンズ部
82  透光材
84  第７のＬＥＤランプ
85  凸レンズ部
86  蛍光体層
88  第８のＬＥＤランプ
89  凸レンズ部
90  蛍光体層
92  第９のＬＥＤランプ
94  凸レンズ部
96  蛍光体層
【図１】
2011077214.tif 000003
【図２】
2011077214.tif 000004
【図３】
2011077214.tif 000005
【図４】
2011077214.tif 000006
【図５】
2011077214.tif 000007
【図６】
2011077214.tif 000008
【図７】
2011077214.tif 000009
【図８】
2011077214.tif 000010
【図９】
2011077214.tif 000011
【図１０】
2011077214.tif 000012
【図１１】
2011077214.tif 000013
【図１２】
2011077214.tif 000014
【図１３】
2011077214.tif 000015
【図１４】
2011077214.tif 000016
【図１５】
2011077214.tif 000017
【図１６】
2011077214.tif 000018
【図１７】
2011077214.tif 000019
【図１８】
2011077214.tif 000020
【図１９】
2011077214.tif 000021
【図２０】
2011077214.tif 000022
【図２１】
2011077214.tif 000023
【図２２】
2011077214.tif 000024
【図２３】
2011077214.tif 000025
【図２４】
2011077214.tif 000026